【事件の表示】
　平成１１年商標登録願第１０８７８５号拒絶査定に対する審判事件について、次のとおり審決する。
【結論】
　本件審判の請求は、成り立たない。
【理由】
１　本願商標
　本願商標は、別掲に示すとおりの構成よりなり、第９類、第３７類、第４０類及び第４２類の願書に記載のとおりの商品及び役務を指定商品及び指定役務として、平成１１年１１月２６日登録出願、その後、指定商品及び指定役務については当審における平成１３年６月１４日付け手続補正書をもって、第９類「理化学機械器具，測定機械器具，配電用又は制御用の機械器具，回転変流機，調相機，電池，電気磁気測定器，電線及びケーブル，ＣＳＰからなる集積回路を搭載（内蔵）したデジタルカメラ，映画機械器具，光学機械器具，ＣＳＰからなる集積回路を搭載（内蔵）した電気通信機械器具，レコード，メトロノーム，ＣＳＰからなる集積回路を搭載（内蔵）した電子応用機械器具，ＣＳＰからなる集積回路，ＣＳＰからなる集積回路を搭載（内蔵）した業務用テレビゲーム機，スロットマシン，電気アイロン，電気式ヘアカーラー，電気ブザー，火災報知機，ガス漏れ警報器，盗難警報器，磁心，抵抗線，電極，映写フィルム，スライドフィルム，スライドフィルム用マウント，録画済みビデオディスク及びビデオテープ，自動販売機，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，ＣＳＰからなる集積回路を搭載（内蔵）した家庭用テレビゲームおもちゃ」、第３７類「建築一式工事，しゅんせつ工事，土木一式工事，舗装工事，石工事，ガラス工事，鋼構造物工事，左官工事，大工工事，タイル・れんが又はブロックの工事，建具工事，鉄筋工事，塗装工事，とび・土工又はコンクリートの工事，内装仕上工事，板金工事，防水工事，屋根工事，管工事，機械器具設置工事，さく井工事，電気工事，電気通信工事，熱絶縁工事，建築設備の運転，船舶の建造，船舶の修理又は整備，航空機の修理又は整備，自転車の修理，自動車の修理又は整備，鉄道車両の修理又は整備，二輪自動車の修理又は整備，育雛器の修理又は保守，ふ卵器の修理又は保守，医療用機械器具の修理又は保守，印刷用又は製本用の機械器具の修理又は保守，映写機の修理又は保守，ＣＳＰからなる集積回路を搭載（内蔵）したデジタルカメラの修理又は保守，エレベーターの修理又は保守，化学機械器具の修理又は保守，火災報知機の修理又は保守，ガソリンステーション用装置の修理又は保守，ガラス器製造機械の修理又は保守，機械式駐車装置の修理又は保守，牛乳ろ過器の修理又は保守，搾乳機の修理又は保守，業務用食器洗浄機の修理又は保守，業務用電気洗濯機の修理又は保守，漁業用機械器具の修理又は保守，金属加工機械器具の修理又は保守，靴製造機械の修理又は保守，耕うん機械器具（手持ち工具に当たるものを除く。）の修理又は保守，栽培機械器具の修理又は保守，収穫機械器具の修理又は保守，植物粗製繊維加工機械器具の修理又は保守，飼料圧搾機の修理又は保守，飼料裁断機の修理又は保守，飼料配合機の修理又は保守，飼料粉砕機の修理又は保守，工業用炉の修理又は保守，鉱山機械器具の修理又は保守，ゴム製品製造機械器具の修理又は保守，蚕種製造用又は養蚕用の機械器具の修理又は保守，自動販売機の修理又は保守，鉄砲の修理又は保守，浄水装置の修理又は保守，照明用器具の修理又は保守，食料加工用又は飲料加工用の機械器具の修理又は保守，事務用機械器具の修理又は保守，製材用・木工用又は合板用の機械器具の修理又は保守，繊維機械器具の修理又は保守，潜水用機械器具の修理又は保守，測定機械器具の修理又は保守，たばこ製造機械の修理又は保守，暖冷房装置の修理又は保守，バーナーの修理又は保守，ボイラーの修理又は保守，ポンプの修理又は保守，冷凍機械器具の修理又は保守，貯蔵槽類の修理又は保守，ＣＳＰからなる集積回路を搭載（内蔵）した電気通信機械器具（電話機・ラジオ受信機及びテレビジョン受信機を除く。）の修理又は保守，ＣＳＰからなる集積回路を搭載（内蔵）した電子計算機（中央処理装置及び電子計算機用プログラムを記憶させた電子回路・磁気ディスクその他の周辺機器を含む。）の修理又は保守，配電用又は制御用の機械器具の修理又は保守，発電機の修理又は保守，電動機の修理又は保守，塗装機械器具の修理又は保守，乗物用洗浄機の修理又は保守，土木機械器具の修理又は保守，廃棄物圧縮装置の修理又は保守，廃棄物破砕装置の修理又は保守，パルプ製造用・製紙用又は紙工用の機械器具の修理又は保守，半導体製造装置の修理又は保守，美容院又は理髪店用の機械器具の修理又は保守，プラスチック加工機械器具の修理又は保守，包装用機械器具の修理又は保守，ミシンの修理又は保守，民生用電気機械器具の修理又は保守，ＣＳＰからなる集積回路を搭載（内蔵）した業務用テレビゲーム機の修理又は保守，理化学機械器具の修理又は保守，運動用具の修理，ＣＳＰからなる集積回路を搭載（内蔵）した家庭用テレビゲームおもちゃの修理，家具の修理，傘の修理，ガス湯沸かし器の修理又は保守，加熱器の修理又は保守，なべ類の修理又は保守，ＣＳＰからなる集積回路を搭載（内蔵）した電子楽器の修理又は保守，かばん類又は袋物の修理，金庫の修理又は保守，靴の修理，錠前の取付け又は修理，洗浄機能付き便座の修理，釣り具の修理，ＣＳＰからなる集積回路を搭載（内蔵）した時計の修理又は保守，はさみ研ぎ及びほうちょう研ぎ，ビリヤード用具の修理，遊戯用器具の修理，身飾品の修理，眼鏡の修理，浴槽類の修理又は保守，毛皮製品の手入れ又は修理，洗濯，被服のプレス，畳類の修理，被服の修理，布団綿の打直し，煙突の清掃，建築物の外壁の清掃，窓の清掃，床敷物の清掃，床磨き，し尿処理槽の清掃，貯蔵槽類の清掃，道路の清掃，浴槽又は浴槽がまの清掃，電話機の消毒，有害動物の防除（農業・園芸又は林業に関するものを除く。），洗車機の貸与，電気洗濯機の貸与，土木機械器具の貸与，床洗浄機の貸与，モップの貸与」、第４０類「布地・被服又は毛皮の加工処理（乾燥処理を含む。），裁縫，ししゅう，紙の加工，ゴムの加工，プラスチックの加工，食料品の加工，石材の加工，セラミックの加工，電気めっき，フライス削り，焼きなまし，焼戻し，溶融めっき，剥製，木材の加工，映画用フィルムの現像，写真の引き伸ばし，写真の焼付け，写真用フィルムの現像，製本，一般廃棄物の処分，産業廃棄物の処分，廃棄物の再生，ゲラビア製版，化学機械器具の貸与，ガラス器製造機械の貸与，金属加工機械器具の貸与，靴製造機械の貸与，写真の現像用・焼付け用・引き伸ばし用又は仕上げ用の機械器具の貸与，食料加工用又は飲料加工用の機械器具の貸与，製材用・木工用又は合板用の機械器具の貸与，製本機械の貸与，繊維機械器具の貸与，たばこ製造機械の貸与，廃棄物圧縮装置の貸与，廃棄物破砕装置の貸与，パルプ製造用・製紙用又は紙工用の機械器具の貸与」及び第４２類「宿泊施設の提供，宿泊施設の提供の契約の媒介又は取次ぎ，飲食物の提供，美容，理容，入浴施設の提供，写真の撮影，オフセット印刷，グラビア印刷，スクリーン印刷，石版印刷，凸版印刷，気象情報の提供，求人情報の提供，結婚又は交際を希望する者への異性の紹介，婚礼（結婚披露を含む。）のための施設の提供，葬儀の執行，墓地又は納骨堂の提供，一般廃棄物の収集及び分別，産業廃棄物の収集及び分別，庭園又は花壇の手入れ，庭園樹の植樹，肥料の散布，雑草の防除，有害動物の防除（農業・園芸又は林業に関するものに限る。），建築物の設計，測量，地質の調査，機械・装置若しくは器具（これらの部品を含む。）又はこれらにより構成される設備の設計，デザインの考案，電子計算機・自動車その他その用途に応じて的確な操作をするためには高度の専門的な知識・技術又は経験を必要とする機械の性能・操作方法等に関する紹介及び説明，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，機械器具に関する試験又は研究，著作権の利用に関する契約の代理又は媒介，通訳，翻訳，施設の警備，身辺の警備，個人の身元又は行動に関する調査，あん摩・マッサージ及び指圧，きゅう，柔道整復，はり，医業，医療情報の提供，健康診断，歯科医業，調剤，栄養の指導，家畜の診療，保育所における乳幼児の保育，老人の養護，編み機の貸与，ミシンの貸与，衣服の貸与，植木の貸与，カーテンの貸与，家具の貸与，壁掛けの貸与，敷物の貸与，会議室の貸与，展示施設の貸与，カメラの貸与，光学機械器具の貸与，漁業用機械器具の貸与，鉱山機械器具の貸与，計測器の貸与，コンバインの貸与，祭壇の貸与，自動販売機の貸与，芝刈機の貸与，火災報知機の貸与，消火器の貸与，タオルの貸与，暖冷房装置の貸与，超音波診断装置の貸与，加熱器の貸与，調理台の貸与，流し台の貸与，凸版印刷機の貸与，電子計算機（中央処理装置及び電子計算機用プロゲラムを記憶させた電子回路・磁気ディスク・磁気テープその他の周辺機器を含む。）の貸与，美容院又は理髪店用の機械器具の貸与，布団の貸与，理化学機械器具の貸与，ルームクーラーの貸与，電子計算機を使用することにより機能する情報処理システムの設計・作成又は保守，通信ネットワークシステムに関する設計・企画，コンピュータシステムに関するコンサルティング，電子計算機等を用いて行う情報処理，データベースの検索，インターネットによる飲食物の提供に関する情報の提供，インターネットによる求人情報の提供，インターネットによる新聞・雑誌記事の情報の提供，インターネットによる気象情報の提供，コンピュータグラフィックスによるデザインの考案，インターネットにおけるホームページの作成」と補正されたものである。
２　当審おける拒絶の理由
　当審において、平成１４年１０月２８日付けで「本願商標は、登録第３０７８０８９号商標（以下「引用商標」という。）と類似であって、その商標に係る指定商品と同一又は類似の商品について使用をするものであるから、商標法第４条第１項第１１号に該当する。」旨の拒絶の理由を請求人に通知した。
３　当審の判断
　本願商標は、別掲に示すとおり、「リアルシーエスピー」の片仮名文字と「ＲＥＡＬ　ＣＳＰ」の欧文字を二段に横書きしてなるところ、「ＣＳＰ」は、「高密度実装対応のＬＳＩパッケージの一形態で、チップと同等あるいはわずかに大きいサイズの半導体素子のパッケージの総称」を意味する「Ｃｈｉｐ　Ｓｉｚｅ　Ｐａｃｋａｇｅ」の略語（株式会社集英社発行「イミダス２００２」８３０頁）として使用されているものである。
　そうすると、本願商標をその指定商品中の「ＣＳＰからなる集積回路を搭載（内蔵）した電気通信機械器具，ＣＳＰからなる集積回路を搭載（内蔵）した電子応用機械器具，ＣＳＰからなる集積回路，ＣＳＰからなる集積回路を搭載（内蔵）した業務用テレビゲーム機，ＣＳＰからなる集積回路を搭載（内蔵）した家庭用テレビゲームおもちゃ」に使用した場合、本願商標中の「シーエスピー」及び「ＣＳＰ」の文字部分は、上記「Ｃｈｉｐ　Ｓｉｚｅ　Ｐａｃｋａｇｅ」の略語として取引者、需要者に認識されるものといわなければならない。
　そして、本願指定商品中の「ＣＳＰからなる集積回路」との関係においては、「シーエスピー」及び「ＣＳＰ」の文字部分は、その商品の普通名称（略語）を表示するものといえるから、本願商標は「リアル」及び「ＲＥＡＬ」の文字部分が自他商品の識別標識として認識され得るものであって、この文字部分から、単なる「リアル」の称呼を生じ、また「本物の、真実の」を意味する英語の「ＲＥＡＬ」が観念されるものといえる。
　ところで、請求人は平成１４年１１月１９日付け意見書において、本願商標は、外観上分離観察されるような構成ではなく、「リアルシーエスピー」と一連に称呼され、「リアルなシーエスピー」のように観念される旨主張する。
　しかしながら、本願商標は、「ＲＥＡＬ」と「ＣＳＰ」の文字部分が結びつくことにより全体として自然な意味合いが生じて一連一体に認識されるものとは認められないから、上記指定商品との関係においては、「リアル」及び「ＲＥＡＬ」の文字部分をもって取引に資される場合があるものといわざるを得ないから、請求人の主張を採用することはできない。
　他方、引用商標は、「リアル」の片仮名文字を書してなり、平成４年５月２６日登録出願、第９類「電気通信機械器具，電子応用機械器具及びその部品」を指定商品として、平成７年９月２９日に設定登録され、現に有効に存続しているものである。
　そして引用商標は、その構成文字に相応して「リアル」の称呼が生ずること明らかであり、「本物の、真実の」の観念を生ずるものといえる。
　してみれば、本願商標と引用商標とは、外観において相違するとしても、同一の称呼「リアル」及び同一の観念を生ずることからすると互いに紛れるおそれのある類似する商標といわざるを得ない。
　また、本願商標は、引用商標の指定商品と同一又は類似の商品に使用するものと認めることができる。
　したがって、本願は、上記２の拒絶理由によって拒絶すべきものである。
　よって、結論のとおり審決する。